【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  画像を処理する画像処理装置であって、
複数の光電変換手段を有する撮像手段と、
前記撮像手段が暗中に出力する信号レベルが所定のレベルに到達する光電変換手段の信号を他の光電変換手段の信号を用いて補正する第１の補正手段と、
前記所定のレベルを撮像に関する情報に応じて変更する制御手段と、
を有することを特徴とする画像処理装置。
【請求項２】  前記撮像手段から出力される第１の信号を前記撮像手段が暗中に出力する第２の信号で減算する第２の補正手段を更に有することを特徴とする請求項１に記載の画像処理装置。
【請求項３】  前記撮像に関する情報は、温度、前記撮像手段における蓄積時間、ＩＳＯ感度の３要素のうち少なくとも１つの要素であることを特徴とする請求項１又は請求項２に記載の画像処理装置。
【請求項４】  前記撮像に関する情報は、温度、前記撮像手段における蓄積時間、ＩＳＯ感度の３要素であることを特徴とする請求項１又は請求項２に記載の画像処理装置。
【請求項５】  前記制御手段は、
複数の撮像条件に各々対応して設けられた複数の欠陥画素表と、
前記撮像に関する情報に基づいて前記複数の欠陥画素表の中から１つの欠陥画素表を選択して、選択した欠陥画素表に基づいて、前記第１の補正手段に補正をさせるべき欠陥画素を、前記第１の補正手段に対して指示する欠陥画素指示手段と、
を有することを特徴とする請求項１又は２に記載の画像処理装置。
【請求項６】  前記撮像に関する情報は、温度、前記撮像手段における蓄積時間、ＩＳＯ感度の３要素のうち少なくとも１つの要素であることを特徴とする請求項５に記載の画像処理装置。
【請求項７】  前記撮像に関する情報は、温度、前記撮像手段における蓄積時間、ＩＳＯ感度の３要素であることを特徴とする請求項５に記載の画像処理装置。
【請求項８】  前記第１の補正手段は、補正をすべき欠陥画素の画素値を、その欠陥画素の周囲の画素の画素値に基づいて決定することを特徴とする請求項１乃至請求項７のいずれか１項に記載の画像処理装置。
【請求項９】  前記第１の補正手段は、補正をすべき欠陥画素の画素値を、その欠陥画素の周囲の画素の画素値の平均値に基づいて決定することを特徴とする請求項８に記載の画像処理装置。
【請求項１０】  前記撮像手段は、ＣＣＤセンサを含むことを特徴とする請求項１乃至請求項９のいずれか１項に記載の画像処理装置。
【請求項１１】  前記撮像手段は、ＣＭＯＳセンサを含むことを特徴とする請求項１乃至請求項９のいずれか１項に記載の画像処理装置。
【請求項１２】  画像を処理する画像処理装置であって、
被写体を撮像するための撮像手段と、
画像中の欠陥画素を他の画素を利用して補正する欠陥補正手段と、
前記撮像手段から出力された信号の増幅度と前記欠陥補正手段に補正をさせるべき欠陥画素の数とを関連させて制御する制御手段と、
を有することを特徴とする画像処理装置。
【請求項１３】  前記制御手段は、前記欠陥補正手段に補正をさせるべき欠陥画素の数に関連して、前記増幅度を制御することを特徴とする請求項１２に記載の画像処理装置。
【請求項１４】  前記制御手段は、前記増幅度に関連して、前記欠陥補正手段に補正をさせるべき欠陥画素の数を制御することを特徴とする請求項１２に記載の画像処理装置。
【請求項１５】  前記制御手段は、複数の撮像条件に各々対応して設けられた複数の欠陥画素表と、前記撮像に関する情報に基づいて前記複数の欠陥画素表の中から１つの欠陥画素表を選択して、選択した欠陥画素表に基づいて、前記欠陥補正手段に補正をさせるべき欠陥画素を、前記欠陥補正手段に対して指示する欠陥画素指示手段を有することを特徴とする請求項１２に記載の画像処理装置。
【請求項１６】  前記欠陥補正手段は、補正をすべき欠陥画素の画素値を、その欠陥画素の周囲の画素の画素値に基づいて決定することを特徴とする請求項１２に記載の画像処理装置。
【請求項１７】  前記撮像手段は、ＣＣＤセンサを含むことを特徴とする請求項１２乃至請求項１６のいずれか１項に記載の画像処理装置。
【請求項１８】  前記撮像手段は、ＣＭＯＳセンサを含むことを特徴とする請求項１２乃至請求項１６のいずれか１項に記載の画像処理装置。
【請求項１９】  複数の光電変換部を有する撮像素子により撮像された画像を処理する画像処理方法であって、
前記撮像素子が暗中に出力する信号のレベルであるダークレベルが所定のレベルに到達する光電変換部の信号を他の光電変換部の信号を用いて補正する第１の補正工程と、
前記所定のレベルを撮影に関する情報に応じて変更する制御工程と、
を有することを特徴とする画像処理方法。
【請求項２０】  前記撮像素子から出力される第１の信号を前記撮像素子が暗中に出力する第２の信号で減算する第２の補正工程を更に有することを特徴とする請求項１９に記載の画像処理方法。
【請求項２１】  前記撮像に関する情報は、温度、前記撮像素子における蓄積時間、ＩＳＯ感度の３要素のうち少なくとも１つの要素であることを特徴とする請求項１９又は請求項２０に記載の画像処理方法。
【請求項２２】  前記撮像に関する情報は、温度、前記撮像素子における蓄積時間、ＩＳＯ感度の３要素であることを特徴とする請求項１９又は請求項２０に記載の画像処理方法。
【請求項２３】  前記制御工程は、複数の撮像条件に各々対応して設けられた複数の欠陥画素表の中から、前記撮像に関する情報に基づいて１つの欠陥画素表を選択して、選択した欠陥画素表に基づいて、前記第１の補正工程で補正をすべき欠陥画素を特定する工程を有することを特徴とする請求項１９に記載の画像処理方法。
【請求項２４】  前記撮像に関する情報は、温度、前記撮像素子における蓄積時間、ＩＳＯ感度の３要素のうち少なくとも１つの要素であることを特徴とする請求項２３に記載の画像処理方法。
【請求項２５】  前記撮像に関する情報は、温度、前記撮像素子における蓄積時間、ＩＳＯ感度の３要素であることを特徴とする請求項２３に記載の画像処理方法。
【請求項２６】  前記第１の補正工程では、補正をすべき欠陥画素の画素値を、その欠陥画素の周囲の画素の画素値に基づいて決定することを特徴とする請求項１９に記載の画像処理方法。
【請求項２７】  前記第１の補正工程では、補正をすべき欠陥画素の画素値を、その欠陥画素の周囲の画素の画素値の平均値に基づいて決定することを特徴とする請求項２６に記載の画像処理方法。
【請求項２８】  前記撮像素子は、ＣＣＤセンサを含むことを特徴とする請求項１９乃至請求項２７のいずれか１項に記載の画像処理方法。
【請求項２９】  前記撮像素子は、ＣＭＯＳセンサを含む特徴とする請求項１９乃至請求項２７のいずれかに記載の画像処理方法。
【請求項３０】  被写体を撮像するための撮像素子により撮像された画像を処理する画像処理方法であって、
画像中の欠陥画素を他の画素を利用して補正する欠陥補工程と、
前記撮像素子から出力された信号の増幅度と前記欠陥補正工程で補正をすべき前記欠陥画素の数とを関連させて制御する制御工程と、
を有することを特徴とする画像処理方法。
【請求項３１】  前記制御工程では、前記欠陥補正工程で補正をすべき欠陥画素の数に関連して、前記増幅度を制御することを特徴とする請求項３０に記載の画像処理方法。
【請求項３２】  前記制御工程では、前記増幅度に関連して、前記欠陥補正部で補正をすべき欠陥画素の数を制御することを特徴とする請求項３０に記載の画像処理方法。
【請求項３３】  前記制御工程は、複数の撮像条件に各々対応して設けられた複数の欠陥画素表の中から、前記撮像に関する情報に基づいて１つの欠陥画素表を選択して、選択した欠陥画素表に基づいて、前記欠陥補正工程で補正をすべき欠陥画素を特定する工程を有することを特徴とする請求項３１に記載の画像処理方法。
【請求項３４】  前記欠陥補正工程では、補正をすべき欠陥画素の画素値を、その欠陥画素の周囲の画素の画素値に基づいて決定することを特徴とする請求項３３に記載の画像処理方法。
【請求項３５】  前記撮像素子は、ＣＣＤセンサを含むことを特徴とする請求項３１乃至３４のいずれか１項に記載の画像処理方法。
【請求項３６】  前記撮像素子は、ＣＭＯＳセンサを含むことを特徴とする請求項３１乃至３４のいずれか１項に記載の画像処理方法。
【請求項３７】  撮像素子により撮像された画像を処理する画像処理方法を実行するためのソフトウェアを格納したメモリ媒体であって、該ソフトウェアは、
前記撮像素子が暗中に出力する信号のレベルであるダークレベルが所定のレベルに到達する光電変換部の信号を他の光電変換部の信号を用いて補正する第１の補正工程と、
前記所定のレベルを撮影に関する情報に応じて変更する制御工程と、
を有することを特徴とするメモリ媒体。
【請求項３８】  請求項１９乃至請求項３６のいずれか１項に記載の制御方法を実現させることを特徴とするプログラム。
【請求項３９】  請求項３８に記載のプログラムを記憶したことを特徴とするコンピュータ読み取り可能な記録媒体。